(57)【特許請求の範囲】
【請求項１】
口腔内に挿入して印象を採得する印象材を保持する印象用トレーであって、
上顎側の印象を採得する印象材を盛る上顎印象トレーと、
下顎側の印象を採得する印象材を盛る下顎印象トレーと、を備え、
前記上顎印象トレーは、前記印象材を盛るべき面を具備する上顎印象トレー本体を有し、
前記下顎印象トレーは、前記印象材を盛るべき面を具備する下顎印象トレー本体を有し、
前記上顎印象トレー本体、及び前記下顎印象トレー本体の少なくとも一方にはハンドルが着脱可能に設けられ、
前記ハンドルは共通の当該ハンドルにより、口唇側のみから突出する姿勢と、前記上顎印象トレーの前記印象材を盛るべき面、及び前記下顎印象トレーの前記印象材を盛るべき面以外のいずれかから突出するのみの姿勢と、を切り替え可能とされている、
印象用トレー。
【請求項２】
前記上顎印象トレー本体及び前記下顎印象トレー本体には、前記印象材を盛るべき面と、その反対側面とを貫通する穴が設けられている、請求項１に記載の印象用トレー。
【発明の詳細な説明】
【技術分野】
【０００１】
本発明は、義歯床の作製において印象を採得するときに用いる、上顎印象トレー及び下顎印象トレーを一組とした印象用トレーに関する。
【背景技術】
【０００２】
一般に歯科治療において補綴物の作製に際して口腔内の印象を採得するときには、シリコーン印象材やアルジネート印象材等の印象材が用いられる。このとき、印象材を口腔内に挿入して保持するために印象用トレーを利用する。すなわち、印象用トレーに印象材を盛り付けて患者の口腔内に挿入し、印象材を患者の口腔内に押し付けることで口腔内の形状を印象材に転写する。そして印象材が硬化した後に、口腔内の形状が転写された印象材が保持された状態で一体として印象用トレーが口腔内から取り出される。【０００３】
このように印象を採得する際に、無歯顎の者（無歯顎に近い者も含む。）の場合には、滑らかな曲面を有する歯槽堤の印象を採得する必要がある。このときには、印象材を均等な力で歯槽堤に押し付けなければならない等、非常に高い精度が要求される。そのため、無歯顎者に対しては、より精度良く口腔内の印象を採得する必要性から、印象採得を２回に亘って行うことも多い。【０００４】
具体的には、先ず一般的な印象用トレーにより歯槽堤の１回目の印象を採り、その後、硬化した印象から無歯顎模型を作製する。そしてこの無歯顎模型からその無歯顎者専用の印象用トレーである「個人トレー」を作製する。
次にこの個人トレーに印象材を薄く盛り、歯槽堤の２回目の印象を採得し、その印象から正確な無歯顎模型を作製する。【０００５】
従来はこの個人トレーに石膏を流し込み石膏模型を得ていたが、近年ではデジタル化技術及びＣＡＤ技術の発展により、例えば特許文献１に記載のように、採得された印象を３次元形状データとして取得し、これをコンピュータ上で処理する技術がある。これによれば、コンピュータ上で歯科補綴物を最終形状まで調整し、当該最終形状のデータをＮＣ工作機械に送信して直接的に最終製品を作製することができる。【０００６】
また、特許文献２に表れているように印象用トレーには、該印象用トレーの本体を適切に患者の口腔内に配置するため、口唇側となる部位に、口腔外に突出するように延びる把手が設けられている。
【先行技術文献】
【特許文献】
【０００７】
【特許文献１】特開平６−７８９３７号公報
【特許文献２】特開平７−２３９８４号公報
【発明の概要】
【発明が解決しようとする課題】
【０００８】
ところが特許文献１には、採得された印象を三次元計測する際に、具体的に印象用トレーをどのように取りまわしてデータを得るかについて記載がない。三次元計測は上顎及び下顎の印象の両方に対して行う必要があり、これは表裏の関係にあることから計測に手間がかかる。例えば、特許文献２に記載のように把手を挟む等して保持装置に固定し、印象を立てて保持することにより上顎側及び下顎側に形成された印象を計測できると考えられるが、これでは把手により口唇側の印象データが取得できないことがある。【０００９】
そこで本発明は上記問題を鑑み、三次元データの取得を容易とする印象用トレーを提供することを課題とする。
【課題を解決するための手段】
【００１０】
以下、本発明について説明する。ここでは分かり易さのため、図面に付した参照符号を括弧書きで併せて記載するが、本発明はこれに限定されるものではない。【００１１】
本発明は、口腔内に挿入して印象を採得する印象材を保持する印象用トレー（１）であって、上顎側の印象を採得する印象材を盛る上顎印象トレー（１０）と、下顎側の印象を採得する印象材を盛る下顎印象トレー（２０）と、を備え、上顎印象トレーは、印象材を盛るべき面（１２ａ）を具備する上顎印象トレー本体（１１）を有し、下顎印象トレーは、印象材を盛るべき面（２２ａ）を具備する下顎印象トレー本体（２１）を有し、上顎印象トレー本体、及び下顎印象トレー本体の少なくとも一方にはハンドル（１７）が着脱可能に設けられ、ハンドルはその装着の姿勢で、口唇側、上顎印象トレーの印象材を盛るべき面、及び下顎印象トレーの印象材を盛るべき面以外のいずれかから突出する、印象用トレーである。【００１２】
上記本発明の印象用トレー（１）は、上顎印象トレー本体（１１）及び下顎印象トレー本体（２１）には、印象材を盛るべき面（１２ａ、２２ａ）と、その反対側面（１２ｂ、２２ｂ）とを貫通する穴（１２ｃ、２２ｃ）が設けられてもよい。
【発明の効果】
【００１３】
本発明によれば、印象を採得するときにはハンドルが離脱されて当該印象の採得を阻害せず、一方、３次元のデータ計測の際には計測すべき部位以外から延びるハンドルが装着されて印象用トレーを空間に保持できるので、必要な印象を精度よく容易に計測できる。
【図面の簡単な説明】
【００１４】
【図１】印象用トレー１の斜視図である。
【図２】上顎印象トレー１０の分解斜視図である。
【図３】上顎印象トレー１０の他の視点からの分解斜視図である。
【図４】図４（ａ）はハンドル１７が具備されないときの上顎印象トレー１０の斜視図、図４（ｂ）はハンドル１７が喉側連結部１５に装着されたときの上顎印象トレー１０の斜視図、図４（ｃ）はハンドル１７が口唇側連結部１４に装着されたときの上顎印象トレー１０の斜視図である。
【図５】図５（ａ）は下顎印象トレー２０の分解斜視図、図５（ｂ）はハンドル１７が装着されたときの下顎印象トレー２０の斜視図である。
【図６】下顎印象トレー２０を他の視点から見た分解斜視図である。
【図７】印象用トレー１が口腔内に挿入されたときの姿勢を説明する図である。
【図８】印象用トレー１が口腔内に挿入されたときの姿勢を印象材と合わせて示した図である。
【図９】喉側連結部１５にハンドル１７が装着された場面を説明する図である。
【図１０】三次元形状計測の際に印象用トレー１が保持装置３０により保持された場面を表す図である。
【発明を実施するための形態】
【００１５】
以下本発明を図面に示す形態に基づき説明する。ただし本発明はこれら形態に限定されるものではない。
【００１６】
図１は１つの形態を説明する図で、印象用トレー１の分解斜視図である。図１には、印象用トレー１が患者の口腔内に配置されるときの向きを併せて表している。図１からわかるように、印象用トレー１は、上顎印象トレー１０及び下顎印象トレー２０を備えている。以下それぞれについて説明する。
【００１７】
上顎印象トレー１０は、上顎側の印象を採るための印象材を盛るトレーである。図２、図３には上顎印象トレー１０の分解斜視図を示した。図２、図３にも上顎印象トレー１０が患者の口腔内に配置されるときの向きを併せて表している。すなわち、図２は、上顎印象トレー１０を下顎印象トレー２０に対向する面側から見た図、図３は図１と同様に、上顎に対向する面側から見た図である。図１〜図３よりわかるように、上顎印象トレー１０は、上顎印象トレー本体１１及びハンドル１７を有している。
【００１８】
上顎印象トレー本体１１は、患者の上顎に接してその形状を転写する印象材が保持される部材である。
上顎印象トレー本体１１は、上顎における口腔内の概ねの形状を模した外周形状及び凹凸を有して形成された板状の印象材受け板１２を有しており、一方の板面が印象材が配置される印象材配置面１２ａ、他方の板面が下顎印象トレー２０に対向する下顎印象トレー対向面１２ｂである。そして、印象材受け板１２には、印象材が押圧されて変形したときに印象材を逃がすために板厚方向に貫通する複数の穴１２ｃが設けられている。また、この穴１２ｃから押し出された印象材により上顎印象トレー１０が下顎印象トレー２０とくっつき、両者を一体にすることができる。
本形態では、使われる印象材の量を減らすことができる観点から、印象材受け板１２の形態を上顎における口腔内の概ねの形状を模した外周形状及び凹凸を有する形態とした。すなわち、その外周形状は歯列弓形状を模した湾曲をした形状とされており、口唇側に凸となるように形成されている。そしてその板面は顎堤部に対応する部位が弓状に下顎印象トレー対向面１２ｂ側に凸、印象材配置面１２ａ側に凹となり、この弓状に囲まれる硬口蓋部に対応する部位が印象材配置面１２ａ側に凸となるように凹凸を有している。ただし、必ずしも印象材受け板はこの形状に限定されることなく、公知の上顎印象トレーに採用されている形状を適用することもできる。
【００１９】
上顎印象トレー本体１１には、図２からわかるように、印象材受け板１２の下顎印象トレー対向面１２ｂに突起１３が配置されている。突起１３の頂部には平らな頂面１３ａが形成されている。
本形態で突起１３は、印象材受け板１２の下顎印象トレー対向面１２ｂのうち、下顎印象トレー対向面１２ｂ側に凸となった弓状の部位の稜線（凸の頂部を結ぶ線）上の２か所に配置されている。突起の形状は特に限定されることはないが、稜線に沿った方向の長さ（図２にＡで示した長さ）が５ｍｍ以上２０ｍｍ以下、該方向に直交する幅方向の大きさ（図２にＢで示した大きさ）が３ｍｍ以上１０ｍｍ以下であることが好ましい。この長さが５ｍｍ未満では短すぎて咬合位置及び高さを決める際に突起１３と、後述する下顎印象トレー２０の突起２３（図１参照）との互いの頂面１３ａ、２３ａの少なくとも一部同士を接触させることができない可能性が高まる。一方で長さが２０ｍｍを超えると、頂面１３ａ、２３ａを傾けたり、その位置を保つことが困難となる。幅方向の大きさについては、３ｍｍ未満では狭すぎて咬合位置及び高さを決める際に突起１３と、後述する下顎印象トレー２０の突起２３との互いの頂面１３ａ、２３ａの少なくとも一部同士を接触させることができない可能性が高まる。一方、幅が１０ｍｍを超えると突起１３、２３が頬に当たる虞がある。
【００２０】
本形態で突起１３は、印象材受け板１２に一体に固定されているが、着脱できるように構成してもよい。これによれば例えば高さや大きさの異なる突起を準備しておけば必要に応じて適切な突起を適用することができる。
【００２１】
また、上顎印象トレー本体１１には、図２からわかるように、印象材受け板１２の下顎印象トレー対向面１２ｂに口唇側連結部１４が配置されている。口唇側連結部１４は、図２からわかるように、下顎印象トレー対向面１２ｂのうち、口唇側に寄せて設けられた２つの突起状の部材である。ここに後述するハンドル１７の連結部１９が装着される。従って、口唇側連結部１４はハンドル１７の連結部１９が装着及び離脱できる形状とされている。このような装着及び離脱のための具体的形状は特に限定されることなく公知の形状を適用することができる。例えば口唇側連結部１４を筒状の突起とし、ハンドル１７の連結部１９を口唇側連結部１４の筒状の突起の内側に差し込むように形成してもよい。従って、本形態では口唇側連結部１４は２つの突起により形成されているが、これに限らず１つの突起やさらに多くの複数の突起により形成されていてもよい。
【００２２】
さらに、上顎印象トレー本体１１には、図２からわかるように、印象材受け板１２の下顎印象トレー対向面１２ｂに喉側連結部１５が配置されている。喉側連結部１５は、下顎印象トレー対向面１２ｂのうち、喉側に寄せられて設けられた２つの突起状の部材である。ここにも後述するハンドル１７の連結部１９が装着される。従って、喉側連結部１５もハンドル１７の連結部１９が装着及び離脱できる形状とされている。このような装着及び離脱のための具体的形状は特に限定されることなく公知の形状を適用することができる。例えば喉側連結部１５を筒状の突起とし、ハンドル１７の連結部１９を喉側連結部１５の筒状の突起の内側に差し込むように形成してもよい。従って、本形態では喉側連結部１５は２つの突起により形成されているが、これに限らず１つの突起やさらに多くの複数の突起により形成されていてもよい。
【００２３】
次に上顎印象トレー１０のハンドル１７について説明する。ハンドル１７は、図２、図３からわかるように、摘み部１８及び連結部１９を有している。
摘み部１８は一方に長く延びる板状の部材である。連結部１９は摘み部１８の一方の面のうち、摘み部１８の長手方向一方側に寄せられて配置された２つの突起である。連結部１９は上記したように、口唇側連結部１４、喉側連結部１５に装着及び離脱する形状とされている。
【００２４】
以上の構成を備える上顎印象トレー１０により、次のような形態とすることができる。図４（ａ）、図４（ｂ）、図４（ｃ）に例を示した。
図４（ａ）は、上顎印象トレー本体１１からハンドル１７が離脱され、上顎印象トレー本体１１のみの形態である。
図４（ｂ）は、上顎印象トレー本体１１の喉側連結部１５にハンドル１７が装着された形態である。これは上顎印象トレー本体１１の喉側連結部１５にハンドル１７の連結部１９が装着されることにより行われる。この形態とされることにより、ハンドル１７の摘み部１８が印象材受け板１２から喉側（すなわち、口唇側とは反対側）に突出する。
図４（ｃ）は、上顎印象トレー本体１１の口唇側連結部１４にハンドル１７が装着された形態である。これは上顎印象トレー本体１１の口唇側連結部１４にハンドル１７の連結部１９が装着されることにより行われる。この形態とされることにより、ハンドル１７の摘み部１８が印象材受け板１２から口唇側に突出する。
【００２５】
図１に戻って下顎印象トレー２０について説明する。下顎印象トレー２０は、下顎側の印象を採る印象材を盛るためのトレーである。図５（ａ）、図６には下顎印象トレー２０の分解斜視図を示した。図５（ｂ）には、下顎印象トレー本体２１とハンドル１７とが組み合わされた図を表した。図５（ａ）、図５（ｂ）、図６にも下顎印象トレー２０が患者の口腔内に配置されるときの向きを併せて表している。すなわち、図５（ａ）、図５（ｂ）は、図１と同様、下顎印象トレー２０を上顎印象トレー１０に対向する面側から見た図、図６は下顎に対向する面側から見た図である。下顎印象トレー２０は、下顎印象トレー本体２１及びハンドル１７を有している。
【００２６】
下顎印象トレー本体２１は、患者の下顎に接してその形状を転写する印象材が保持される部材である。
下顎印象トレー本体２１は、下顎における口腔内の概ねの形状を模した外周形状及び凹凸を有して形成された板状の印象材受け板２２を有しており、一方の板面が印象材が盛られる印象材配置面２２ａ、他方の板面が上顎印象トレー１０に対向する上顎印象トレー対向面２２ｂである。そして、印象材受け板２２には、印象材が押圧されて変形したときに印象材を逃がすために板厚方向に貫通する複数の穴２２ｃが設けられている。また、この穴２２ｃから押し出された印象材により下顎印象トレー２０が上顎印象トレー１０とくっつき、両者を一体にすることができる。
本形態では、使われる印象材の量を減らすことができる観点から、印象材受け板２２の形態を下顎における舌部を除く口腔内の概ねの形状を模した外周形状及び凹凸を有する形態とした。すなわち、その外周形状は歯列弓形状を模した湾曲をした形状とされており、口唇側に凸となるように形成されている。そしてその板面は顎堤部に相当する部位が弓状に上顎印象トレー対向面２２ｂ側に凸、印象材配置面２２ａ側が凹となり、この弓状に囲まれる中央部は舌部となるので空隙とされている。ただし、必ずしも印象材受け板はこの形状に限定されることなく、公知の下顎印象トレーに採用されている形状を適用することもできる。
【００２７】
下顎印象トレー本体２１には、図５（ａ）、図５（ｂ）からわかるように、印象材受け板２２の上顎印象トレー対向面２２ｂに突起２３が配置されている。突起２３の頂部は平らな頂面２３ａが形成されている。
本形態で突起２３は、印象材受け板２２の上顎印象トレー対向面２２ｂのうち、上顎印象トレー対向面２２ｂ側に凸となった稜線（凸の頂部を結ぶ線）上の２か所に配置されている。突起の形状は特に限定されることはないが、稜線に沿った方向の長さ（図５（ａ）にＣで示した長さ）が５ｍｍ以上２０ｍｍ以下、該方向に直交する幅方向の大きさ（図５（ａ）にＤで示した大きさ）が３ｍｍ以上１０ｍｍ以下であることが好ましい。この長さが５ｍｍ未満では短すぎて咬合位置及び高さを決める際に突起２３と、上記した上顎印象トレー１０の突起１３との互いの頂面１３ａ、２３ａの少なくとも一部同士を接触させることができない可能性が高まる。一方で長さが２０ｍｍを超えると、頂面１３ａ、２３ａを傾けたり、その位置を保つことが困難となる。幅方向の大きさについては、３ｍｍ未満では狭すぎて咬合位置及び高さを決める際に突起２３と、上記した上顎印象トレー１０の突起１３との互いの頂面１３ａ、２３ａの少なくとも一部同士を接触させることができない可能性が高まる。一方で幅が１０ｍｍを超えると突起１３、２３が頬に当たる等の虞がある。
【００２８】
本形態で突起２３は、印象材受け板２２に一体に固定されているが、着脱できるように構成してもよい。これによれば例えば高さや大きさの異なる突起を準備しておけば必要に応じて適切な突起を適用することができる。
【００２９】
また、下顎印象トレー本体２１には、図５（ａ）、図５（ｂ）からわかるように、印象材受け板２２の上顎印象トレー対向面２２ｂに口唇側連結部２４が配置されている。口唇側連結部２４は、図５（ａ）、図５（ｂ）からわかるように、上顎印象トレー対向面２２ｂのうち、口唇側端部に設けられた２つの突起状の部材である。ここに上記したハンドル１７と同様の形態のハンドル１７が装着される。口唇側連結部２４が取り得る形態は、上顎印象トレー本体１１において説明した口唇側連結部１４と同様である。
【００３０】
下顎印象トレー２０に具備されるハンドル１７は、上顎印象トレー１０に備えられたハンドル１７と同じであるから説明を省略する。
【００３１】
以上の構成を備える下顎印象トレー２０により、次のような形態とすることができる。すなわち、図５（ａ）に示したように、下顎印象トレー本体２１からハンドル１７が離脱され、下顎印象トレー本体２１のみの形態である。一方、図５（ｂ）に示したように、下顎印象トレー本体２１の口唇側連結部２４にハンドル１７が装着された形態とすることができる。これは下顎印象トレー本体２１の口唇側連結部２４にハンドル１７の連結部１９が装着されることにより行われる。この形態とされることにより、ハンドル１７の摘み部１８が印象材受け板２２から口唇側に突出する。
【００３２】
以上説明した構成を有する印象用トレー１を用いて例えば次のように義歯床を作製することができる。必要に応じて都度示す図を参照しつつ説明する。
【００３３】
印象用トレー１によれば、慎重に１度だけ印象を採得してもよく、正確性を高めるために２回の印象採得をしてもよい。ただしここでは、２回の印象採得をする場合であっても、個人トレーを作製することを意図しておらず、印象用トレー１により１回目の印象採得を行い、この上に新たに薄く印象材を盛って２回目の印象を採得する。
【００３４】
初めに、上顎印象トレー１０及び下顎印象トレー２０をそれぞれ図４（ｃ）、及び図５（ｂ）に示した形態とする。すなわち、印象材受け板１２の口唇側連結部１４にハンドル１７を装着し、印象材受け板２２の口唇側連結部２４にもハンドル１７を装着する。
次に印象材受け板１２、２２の印象材配置面１２ａ、２２ａにそれぞれ印象材を盛り、ハンドル１７を掴んで上顎印象トレー１０を上顎側、下顎印象トレー２０を下顎側の口腔内に配置する。このとき、上顎印象トレー１０に配置された印象材が口腔内の上顎のうち硬口蓋及び歯槽堤に接触するように、及び下顎印象トレー２０に配置された印象材が口腔内の下顎のうち歯槽堤に接触するように配置される。従って、口腔内で上顎印象トレー１０の下顎印象トレー対向面１２ｂと、下顎印象トレー２０の上顎印象トレー対向面２２ｂとが対向している。その後、上顎印象トレー１０のハンドル１７及び下顎印象トレー２０のハンドル１７が離脱される。
【００３５】
そして、上顎印象トレー１０及び下顎印象トレー２０を、突起１３、２３を指で押圧するなどして口腔内で少しずつ移動させながら、噛み合わせをしてもらい、図７に示したように、上顎印象トレー１０と下顎印象トレー２０の互いの突起１３、２３の頂面１３ａ、２３ａが重なるように接触する位置でよりよい咬合位置及び高さを探す。図７は口腔内における上顎印象トレー１０及び下顎印象トレー２０の姿勢を模式的に示した図であり、盛られた印象材は省略している。
これにより上顎の硬口蓋、歯槽堤の印象、下顎の歯槽堤の印象、及び穴１２ｃ、２２ｃから押し出された印象材が口唇部の口腔内側に充填されてこの部位における印象がそれぞれ採得できる。
このとき、ハンドル１７が取り外されているので、ハンドル１７が口唇に当たることによる不正確な印象形成が防止される。またハンドル１７が喉側連結部１５に装着されていないので、口腔内への配置をハンドル１７が阻害することはない。
【００３６】
このようにして上顎印象トレー１０及び下顎印象トレー２０の位置及び高さが決められた後に、図８に示したように、口腔内に上顎印象トレー１０及び下顎印象トレー２０を配置したまま、口唇側における上顎印象トレー１０と下顎印象トレー２０との間に印象材（図８にＥに示した印象材）を盛って硬化させる。これによればこの部位における歯槽堤と口唇部の口腔内側との間の形態も印象として採得することができる。図８は図７と同じ視点で表した図であり印象材をハッチングで示している。
また、この印象材（Ｅ）により上顎印象トレー１０と下顎印象トレー２０との位置が固定されて両者が一体化する。
【００３７】
このように一体化した印象用トレー１を口腔内から取り出し、図９に示したように、上顎印象トレー１０の喉側連結部１５にハンドル１７を取り付ける（図１、図４（ｂ）も参照）。これにより印象が採得された印象用トレー１の喉側（口唇側とは反対側）に突出して延びるようにハンドル１７の摘み部１８が配置される。また、上顎印象トレー１０と下顎印象トレー２０との間に図９にＦで表したように、さらなる印象材を盛ってもよい。これにより上顎印象トレー１０と下顎印象トレー２０との固定をより強固にできる。
【００３８】
次に、図１０に示したように、印象用トレー１から突出したハンドル１７の摘み部１８を、保持装置３０に挟持する。これにより印象が採得された印象用トレー１が中空に保持され、図１０に矢印Ｇで示したように、計測が必要な上顎側印象面、下顎側印象面、及び口唇側印象面をあらゆる角度から視認、及び計測できる。そしてこのように保持された印象用トレー１の外周面を３次元計測して３次元の形状データを得ることができる。その際には印象用トレー１を動かすことなく、上顎側印象面、下顎側印象面、及び口唇側印象面の計測をすることができ、当該計測を精度よく容易に行うことが可能となる。
３次元データを取得するための計測装置は公知のものを用いることができる。例えば、レーザによる方法や、撮影した写真を合成する方法等を挙げることができる。
【００３９】
このようにして得られた印象の３次元形状データに基づき、コンピュータ上で公知の方法により最終的な有床義歯の形状を調整して作成する。そして完成したデータをＮＣ工作機械に送信することで、有床義歯を切削して製造することができる。
【００４０】
以上のように、印象用トレー１によれば精度よく、容易に印象の三次元データの取得することが可能となる。
【００４１】
本形態では、喉側連結部を上顎印象トレーに設けた例を説明したがこれに限らず下顎印象トレー側、又は両方に設けてもよい。ただし下顎印象トレー側は舌部を空隙にする必要があることから、喉側連結部を設ける部位が十分に確保できないことも考えられる。
【００４２】
また、本形態ではハンドル１７の摘み部１８が喉側に延びる例を説明した。ただし、三次元計測を上記ように行うことができればこれに限らず他の部位から摘み部１８が突出してもよい。すなわち、口唇部、上顎部、及び下顎部のうち印象が形成される部位以外のいずれかの部位から突出するように摘み部１８が延びるようにハンドルを設けてもよい。従って、上顎印象トレー本体１１、及び下顎印象トレー本体２１の少なくとも一方にはハンドル１７が着脱可能に設けられ、このハンドル１７は口唇側、上顎印象トレー１０の印象材を盛るべき面１２ａ、及び下顎印象トレー２０の印象材を盛るべき面２２ａ以外のいずれかから突出するように配置されていることが好ましい。
【符号の説明】
【００４３】
１  印象用トレー
１０  上顎印象トレー
１１  上顎印象トレー本体
１２  印象材受け板
１３  突起
１４  口唇側連結部
１５  喉側連結部
１７  ハンドル
２０  下顎印象トレー
２１  下顎印象トレー本体
２２  印象材受け板
２３  突起
２４  口唇側連結部
【図１】
0006010228.tif 000002
【図２】
0006010228.tif 000003
【図３】
0006010228.tif 000004
【図４】
0006010228.tif 000005
【図５】
0006010228.tif 000006
【図６】
0006010228.tif 000007
【図７】
0006010228.tif 000008
【図８】
0006010228.tif 000009
【図９】
0006010228.tif 000010
【図１０】
0006010228.tif 000011